(57)【要約】【課題】  簡単に作成でき、丈夫で見栄えが良く、且つ効率良くファイルの金具や紐等で綴じて収納することができる図面袋及びその作成方法を提供すること。【解決手段】  第１の部材１０と、第１の部材１０の表面部１２と裏面部１３の側端部間に第２の側面部３２として取り付けられる第２の部材３０からなり、第１の部材１０及び第２の部材３０は、折曲線１８、３６上に押圧されることで形成された折曲補助線を備えており、第１の部材１０及び第２の部材３０が折曲線１８、３６に沿って折り曲げられ、第２の部材３０が第１の部材１０の表面部１２及び裏面部１３の側端部１２ｄ、１３ｄよりも所定寸法内側の位置Ａに取り付けられていることで、前記表面部１２及び裏面部１３の一部が第２の側面部３２よりも外側に突出し、該突出した部分に貫通穴２３からなる取付部が設けられた図面袋である。【選択図】図４
2006117313.tif 000002
【特許請求の範囲】
【請求項１】
表面部と裏面部と、該表面部と裏面部を接続する第１の側面部と、表面部又は裏面部の下端部に連接した底面部と、表面部又は裏面部の上端部に連接した蓋部とを有してなる第１の部材と、前記第１の部材の表面部と裏面部の側端部間に第２の側面部として取り付けられる第２の部材からなり、
前記第１の部材及び第２の部材は、その所定部分に設けた折曲線上に、押圧されることで形成された折曲補助線を備えており、
前記第１の部材及び第２の部材が前記折曲線に沿って折り曲げられ、
前記第２の部材が第１の部材の表面部及び裏面部の側端部よりも所定寸法内側の位置に取り付けられていることで、前記表面部及び裏面部の一部が前記第２の側面部よりも外側に突出し、該突出した部分に貫通穴からなる取付部が設けられていることを特徴とする図面袋。
【請求項２】
請求項１に記載の図面袋において、
前記表面部又は裏面部のうち少なくとも一方の外面に、袋状の収納部を有する収納ポケットを設けたことを特徴とする図面袋。
【請求項３】
請求項２に記載の図面袋において、
前記収納ポケットは、前記収納部がＣＤ−ＲＯＭのケースを収納可能な形状及び大きさに構成されていることを特徴とする図面袋。
【請求項４】
表面部と裏面部と、該表面部と裏面部を接続する第１の側面部と、表面部又は裏面部の下端部に連接した底面部と、表面部又は裏面部の上端部に連接した蓋部とを有してなる第１の部材と、前記第１の部材の表面部と裏面部の側端部間に第２の側面部として取り付ける第２の部材とを作成する際に、前記第１の部材及び第２の部材の外形を切り抜くと共に、第１の部材及び第２の部材に設けた所定の折曲線上を押圧して折曲補助線を形成し、
前記第１の部材及び第２の部材を前記折曲補助線に沿って折り曲げ、
前記第２の部材を前記第１の部材の表面部及び裏面部の側端部よりも所定寸法内側の位置に取り付けることで、前記表面部及び裏面部の一部を第２の側面部よりも外側に突出させ、該突出させた部分に貫通穴からなる取付部を形成することを特徴とする図面袋の作成方法。
【請求項５】
請求項４に記載の図面袋の作成方法であって、
前記第１の部材及び第２の部材を作成する際に、前記第１の部材と第２の部材が連続して一体に形成されるように外形を切り抜くと共に、前記第１の部材と前記第２の部材の連続部分の一部を接続部として残した状態で該連続部分に切り込みを設け、その後前記接続部を引き離すことで第１の部材と第２の部材を分離することを特徴とする図面袋の作成方法。
【発明の詳細な説明】
【技術分野】
【０００１】
本発明は、土木工事や建築工事等に用いる図面を収納する図面袋及びその作成方法に関する。
【背景技術】
【０００２】
従来、建築工事や土木工事等に用いる図面を官公庁等に提出する際にこれを収納するために図面袋が用いられている。この図面袋は、紙製や布製のものがあり、平面状の材料を所定の寸法・形状に裁断してこれを貼合したり縫合したりすることで、袋状の収納部を備えた略封筒形状に構成されている。図面袋は一般に、納品先の要求に応じて少数ごとに寸法や形状を異ならせて作成する場合が多いため、機械による大量生産には向かず一個ずつ手作業で作成する場合が多い。その作成方法は、一枚の平面状部材を所定の厚さ寸法のマチ部を有する側面部と底部を形成するように折り曲げると共に、部材の両側端部を裏面側の中央部付近で貼り合わせることで、図面を収納する収納部を形成するものであった。
【０００３】
また、この図面袋は、図面を収納してファイルに綴じ込んだり紐で縛ったりして保管する。そのため、図面袋の側面部に耳部を設け、該耳部にファイルの綴じ金具や紐等を取り付ける貫通穴などからなる取付部を設けている。従来この耳部は、所定の幅寸法に裁断して形成した別部材を図面袋の側面部に貼り付けることで設けていた。
【発明の開示】
【発明が解決しようとする課題】
【０００４】
しかしながら、上記従来の図面袋及びその作成方法には以下のような問題点があった。
即ち、図面袋の側面部に別部材を貼り付けて耳部を設けていたが、この方法では、正確な位置に部材を貼り付けないと、耳部の位置が図面袋ごとに異なってしまい、図面袋をファイルなどに綴じ込んだ際にその位置が不揃いとなってしまう。そのため、耳部を作成する作業は非常に手間がかかるものとなっていた。また、図面袋の側面部、即ちマチ部分に耳部となる部材を取り付けているので、側面部の幅寸法が大きい図面袋の場合、マチ部分をいっぱいに広げた際に耳部が両外側に開いた状態になってしまい、取付部の位置が変わってファイルの金具や紐を取り付けにくくなり、効率の良い収納の妨げとなっていた。加えて、耳部が別部材なので、図面袋の使用中等に外れてしまうおそれがあった。
【０００５】
一方、図面袋の作成で、裁断した平面状材料を折り曲げる際に、予め決めた折曲線に沿って手作業で正確かつ綺麗に折り曲げるのは困難であり、時間がかかるものであった。また、折り曲げた材料の端部を図面袋の裏面側中央部付近で貼り合わせていたため、張合部が目立ち見栄えが悪いという問題もあった。
【０００６】
本発明は上述の点に鑑みてなされたものでありその目的は、簡単に作成でき、丈夫で見栄えが良く、且つ効率良くファイルの金具や紐等で綴じて収納することができる図面袋及びその作成方法を提供することにある。
【課題を解決するための手段】
【０００７】
上記課題を解決するため請求項１に記載の発明は、表面部と裏面部と、該表面部と裏面部を接続する第１の側面部と、表面部又は裏面部の下端部に連接した底面部と、表面部又は裏面部の上端部に連接した蓋部とを有してなる第１の部材と、第１の部材の表面部と裏面部の側端部間に第２の側面部として取り付けられる第２の部材からなり、第１の部材及び第２の部材は、その所定部分に設けた折曲線上に、押圧されることで形成された折曲補助線を備えており、第１の部材及び第２の部材が折曲線に沿って折り曲げられ、第２の部材が第１の部材の表面部及び裏面部の側端部よりも所定寸法内側の位置に取り付けられていることで、表面部及び裏面部の一部が第２の側面部よりも外側に突出し、該突出した部分に貫通穴からなる取付部が設けられていることを特徴とする図面袋にある。
【０００８】
請求項２に記載の発明は、請求項１に記載の図面袋において、表面部又は裏面部のうち少なくとも一方の外面に、袋状の収納部を有する収納ポケットを設けたことを特徴とする。
【０００９】
請求項３に記載の発明は、請求項２に記載の図面袋において、収納ポケットは、収納部がＣＤ−ＲＯＭのケースを収納可能な形状及び大きさに構成されていることを特徴とする。
【００１０】
請求項４に記載の発明は、表面部と裏面部と、該表面部と裏面部を接続する第１の側面部と、表面部又は裏面部の下端部に連接した底面部と、表面部又は裏面部の上端部に連接した蓋部とを有してなる第１の部材と、第１の部材の表面部と裏面部の側端部間に第２の側面部として取り付ける第２の部材とを作成する際に、第１の部材及び第２の部材の外形を切り抜くと共に、第１の部材及び第２の部材に設けた所定の折曲線上を押圧して折曲補助線を形成し、第１の部材及び第２の部材を折曲補助線に沿って折り曲げ、第２の部材を第１の部材の表面部及び裏面部の側端部よりも所定寸法内側の位置に取り付けることで、表面部及び裏面部の一部を第２の側面部よりも外側に突出させ、該突出させた部分に貫通穴からなる取付部を形成することを特徴とする図面袋の作成方法にある。
【００１１】
請求項５に記載の発明は、請求項４に記載の図面袋の作成方法であって、第１の部材及び第２の部材を作成する際に、第１の部材と第２の部材が連続して一体に形成されるように外形を切り抜くと共に、第１の部材と第２の部材の連続部分の一部を接続部として残した状態で該連続部分に切り込みを設け、その後接続部を引き離すことで第１の部材と第２の部材を分離することを特徴とする。
【発明の効果】
【００１２】
本願請求項１に記載の発明によれば、第２の部材が第１の部材の表面部及び裏面部の側端部よりも内側の位置に取り付けられていることで、表面部及び裏面部の一部が第２の側面部よりも外側に突出し、該突出した部分に貫通穴からなる取付部が設けられているので、取付部が丈夫で正確な位置に設けられた図面袋を提供できる。また、側面部の幅寸法が大きな図面袋であっても、取付部の位置が変化することなく、効率良くファイルの金具や紐等で綴じて収納することができる図面袋となる。
【００１３】
また、第１の部材及び第２の部材は、折曲線上に、押圧されることで形成された折曲補助線を備えているので、折曲線が折曲補助線に沿って正確に折り曲げられており、寸法が正確で外観も綺麗な図面袋を提供できる。
【００１４】
請求項２に記載の発明によれば、表面部又は裏面部のうち少なくとも一方の外面に、袋状の収納部を有する収納ポケットを設けたので、収納ポケットに図面に関する付属品を収納することができ、図面と当該図面に関する付属品等を一緒に収納して保管することができる図面袋を提供できる。
【００１５】
請求項３に記載の発明によれば、収納部がＣＤ−ＲＯＭのケースを収納可能な形状及び大きさに構成されているので、収納する図面に関する電子データが記録されたＣＤ−ＲＯＭを同じ図面袋に収納して保管することができ、図面袋の利便性が向上する。
【００１６】
請求項４に記載の発明によれば、第１の部材及び第２の部材を折曲補助線に沿って折り曲げて、第２の部材を、表面部及び裏面部の側端部よりも所定寸法内側の位置に取り付けることで表面部及び裏面部の一部を第２の側面部よりも外側に突出させ、該突出させた部分に貫通穴からなる取付部を形成するので、簡単な手順で、正確な位置に取付部を有する図面袋を作成することができ、図面袋の作成効率が向上する。
【００１７】
また、第１の部材及び第２の部材を作成する際に、第１の部材及び第２の部材の外形を切り抜くと共に、第１の部材及び第２の部材の所定の折曲線上を押圧して折曲補助線を形成するので、第１の部材及び第２の部材をこの折曲補助線に沿って簡単に且つ正確に折り曲げることができ、図面袋の作成効率が向上する。
【００１８】
請求項５に記載の発明によれば、第１の部材及び第２の部材を作成する際に、第１の部材と第２の部材が連続して一体に形成されるように外形を切り抜くと共に、第１の部材と第２の部材の連続部分の一部を接続部として残した状態で該連続部分に切り込みを設け、その後接続部を引き離すことで第１の部材と第２の部材を分離するので、第１の部材と第２の部材を同時に作成でき、且つこれらを後から分離することで、切断時に分離して飛び散ることを防げるので、図面袋の作成効率が向上する。
【発明を実施するための最良の形態】
【００１９】
以下、本発明の実施形態例を図面に基づいて詳細に説明する。
【実施例１】
【００２０】
図１乃至図５は、本発明の一実施形態（実施例１）にかかる図面袋を示す図である。図１は、図面袋１の構成部品である第１の部材１０及び第２の部材３０を示す図である。また、図２は材料から裁断する前の第１の部材１０と第２の部材３０を示す図である。図３は第１の部材１０と第２の部材３０の連続部分２０を示す部分拡大図、図４は図面袋１の組立て手順を示す図、図５は完成した図面袋１を示す図である。この図面袋１は、図２に示す一枚の平面材料２から所定の形状に切り抜かれて作成された第１の部材１０と第２の部材３０からなり、図４に示すように、これら第１の部材１０と第２の部材３０を所定の折曲線に沿って折り曲げると共に所定位置で貼り合わせて形成されたもので、図５に示すように袋状の収納部３を有する略封筒形状に構成されている。以下、この図面袋１の構成及びその作成方法について詳細に説明する。
【００２１】
第１の部材１０は、図１及び図２に示すように、紙や布、あるいは紙に布を貼り付けて構成した平面材料２を外形線１１に沿って切り抜いて形成したもので、表面部１２と裏面部１３と、該表面部１２の側端部１２ａと裏面部１３の側端部１３ａの間を接続する第１の側面部１４と、表面部１２や裏面部１３や第１の側面部１４の下端部１２ｂ、１３ｂ、１４ａに連接した底面部１５と、表面部１２又は裏面部１３のいずれかの上端部１２ｃ、１３ｃに連接した蓋部１７（図では表面部１２の上端部１２ｃに連接している）を有している。表面部１２及び裏面部１３と第１の側面部１４の間、表面部１２や裏面部１３や第１の側面部１４と底面部１５や蓋部１７の間、第１の側面部１４中央部と下部等の所定位置には直線状の折曲線１８が設けられている。また、表面部１２及び裏面部１３の下部にも折曲線１８が設けられている。この折曲線１８は、図面袋１を作成する際に第１の部材１０と第２の部材３０を折り曲げる部分を示す線である。
【００２２】
また、表面部１２と裏面部１３の側端部１２ｄ、１３ｄから所定寸法内側までの間の部分には耳部１６、１９が形成されている。これにより、表面部１２及び裏面部１３の幅寸法Ｄは、図面袋１の横幅となる寸法Ｄ´よりも耳部１６、１９の幅寸法の分だけ大きな幅寸法になるように形成されている。
【００２３】
次に、第２の部材３０は、第１の部材１０の表面部１２と裏面部１３の間に取り付けられる部材で、図１及び図２に示す外形線３１に沿って切り抜いて形成されたもので、第２の側面部３２と、その両側端部３２ａ、３２ｂに接続された貼合部３３、３４と、下端部３２ｃに接続された底面部３５を有している。第２の側面部３２と、貼合部３３、３４及び底面部３５との間、及び第２の側面部３２の略中央部とその下部の所定位置には直線状の折曲線３６が設けられている。
【００２４】
ここで、図２を用いて第１の部材１０及び第２の部材３０の作成方法を説明する。第１の部材１０及び第２の部材３０は、その外形線１１、３１に沿った形状の切断刃を備えた切断機、あるいは外形線１１、１３に沿って部材を切断する機能を備えた切断機等（何れも図示せず）によって作成される。即ち、平面材料２に作図した外形線１１、３１に沿って切断刃を当ててこれを切り抜くことで、各部材の外形が形成される。また同時に、切断機に折曲線１８、３６に沿ってこれを押圧する押圧部材（図示せず）を設けることで、切断刃で外形を切り抜くと同時に、該折曲線１８、３６上を押圧して凹型を付けることで折曲補助線を形成する。この折曲補助線は、紙製や布製の部材の表面に凹状の線状痕を形成することで、折曲線１８、３６を手作業等で折り曲げる際に、該折曲線１８、３６に沿って正確に直線状に折り曲げることができるように設けられるものである。
【００２５】
また、第１の部材１０及び第２の部材３０を作成する際には、図２に示すように、第１の部材１０と第２の部材３０が連続部分２０で連続した状態で形成されるようにこれらの外形線１１、３１を作図し、該外形線１１、３１に沿ってこれを切り抜く。図３は、切り抜いた後の第１の部材１０と第２の部材３０の連続部分２０の部分拡大図である。切断機には、連続部分２０に切り込みを入れる切込刃（図示せず）を設置し、この切込刃の形状は、連続部分２０のうち接続部２２に当たる部分を切り欠いた形状とする。そして、同図に示すように、外形線１１、３１を打ち抜くと同時にこの切込刃によって連続部分２０に切り込み２１を入れることで、第１の部材１０と第２の部材３０の連続部分２０をその一部のみを接続部２２として残した状態とする。接続部２２は、その幅寸法が非常に小さいため、後から手作業で容易に引き離すことができる。このようにして、複数組の第１の部材１０と第２の部材３０を作成した後、これら部材を集めて重ね合わせた状態で接続部２２を引き離すことで、第１の部材１０と第２の部材３０をまとめて一度に分離することができる。この方法により、第１の部材１０と第２の部材３０を一つの工程で同時に作成することができ、且つ作成時に第１の部材１０と第２の部材３０が分離して飛び散ることを防止できるので、作業効率が向上する。
【００２６】
続いて、第１の部材１０の耳部１６、１９の所定位置に取付部である貫通穴２３を開ける。この貫通穴２３の位置は、図面袋１をファイルに綴じて使用する場合には、ファイルの金具の位置と略一致する位置とし、図面袋１を紐で縛って収納する場合は、紐を通し易い位置とする。また、貫通穴２３の個数は、金具や紐に合わせて決めることができる。貫通穴２３を開ける場合、必要があれば、予め貫通穴２３を開ける部分に樹脂製テープ等の補強部材２６を貼付して補強しておき、その上から貫通穴２３を開けることもできる。あるいは、貫通穴２３を開けた後で、その内周部を補強する金具等を取り付けてもよい。なお、この貫通穴２３を開ける作業は、下記するように、第１の部材１０に第２の部材３０を貼り付けた後で行ってもよい。
【００２７】
次に、図４を用いて図面袋１の組立て手順を説明する。まず、作成した第１の部材１０及び第２の部材３０を、その折曲線（折曲補助線）１８、３６に沿って折り曲げる。この作業は機械によっても行うことができるが、第１の部材１０と第２の部材３０の折曲線１８、３６には予め折曲補助線が形成されているので、手作業で行っても、折曲線１８、３６に沿って簡単、且つ正確で綺麗に折り曲げることができる。
【００２８】
第１の部材１０を折曲線１８に沿って折り曲げることで、表面部１２と裏面部１３を互いに対向して位置させ、該表面部１２と裏面部１３を接続する第１の側面部１４を形成する。また、第１の側面部１４には、その中央部付近に縦方向の折曲線１８を設けているので、それに沿って折り曲げることでマチ部２４を形成する。一方、第２の部材３０も、所定の折曲線３６に沿って折り曲げて第２の側面部３２を形成すると共に、その中央部付近に設けた縦方向の折曲線３６を折り曲げることでマチ部２５を形成する。この状態で、第１の部材１０と第２の部材３０を貼り合せる。この際、第２の部材３０の貼合部３３、３４を第１の部材１０に設けた耳部１６、１９よりも内側の位置、即ち側端部１２ｄ、１３ｄよりも所定寸法内側の位置（図のＡ部分）に貼り付けることで、耳部１６、１９を第２の側面部３２よりも所定寸法外側に突出させた状態にする。
【００２９】
そして第１の部材１０に設けた底面部１５と第２の部材３０に設けた底面部３５を折曲線１８、３６に沿って内側に折り曲げて、これらを貼り合せることで底部２７（図５参照）を形成する。また、上記手順でまだ貫通穴２３を開けていない場合は、耳部１６、１９の所定位置に貫通穴２３を開ける。
【００３０】
さらに、図５に示すように、蓋部１７を折り返した際にその内側になる面１７ａの所定位置と、裏面部１３のこれに対向する位置とに一対の面ファスナー等からなる開閉具２８を設置する。蓋部１７は、表面部１２の上端部１２ｃに沿って折り曲げて裏面部１３の上部に重ね合わせて開口部２９を塞いだ閉位置と、蓋部１７を上方に開けた開位置とで開閉自在の構成とすることができると共に、開閉具２８により、その閉位置において容易に開いてしまわないように固定することができる。以上により、図面袋１が完成する。
【００３１】
完成した図面袋は、図５に示すように、表面部１２及び裏面部１３と第１の側面部１４及び第２の側面部３２、及び底部２７とで囲まれた袋状の収納部３を備えて構成されている。該収納部３は、その上端部に開口部２９が設けられており、この開口部２９から折り畳んだ図面を収納して使用する。図面を収納する際に蓋部１７を開け、図面を入れた後開閉具２８を用いて蓋部１７を閉じる。そして、この図面袋１は、図面を内部に入れた状態でファイル（図示せず）等に綴じたり、複数の図面袋１を束ねてこれを紐で縛ったりして収納する。ファイルに綴じる際には、ファイルの金具を耳部１６、１９に設けた貫通穴２３に貫通させて取り付ける。その際、第２の側面部３２のマチ部２５及びその両外側に位置する耳部１６、１９が重ね合わされた図面袋１の重さ等でつぶれて変形することを防ぐため、耳部１６、１９の間にウレタン材や段ボール等からなる背枕部材４０を挿入して、その状態で図面袋１をファイルに綴じ込んでも良い。また、この背枕部材４０を挿入した状態で貫通穴２３に紐を通して図面袋１を束ねることもできる。
【００３２】
なお上記実施例では、貼合部３３、３４や底面部１５、３５等は、糊や接着剤等によって貼り合わせて接合する場合を説明したが、これらは糸で縫い付ける等して接合しても良い。特に各部材が布材料で構成されている場合は、ミシン等で縫合して接合することが好ましい。
【実施例２】
【００３３】
図６は、本発明の他の実施形態（実施例２）にかかる図面袋の外観構成例を示す図である。本実施例の図面袋１−２の基本的な構成及び作成手順は、実施例１の図面袋１と共通であり、ここではその詳細な説明は省略する。以下、他の実施例においても同様とする。図６に示す図面袋１−２が図５の図面袋１と異なるのは、開閉具２８に代えて、蓋部１７を折り曲げた際にその外側になる面１７ｂの所定位置と裏面部１３の所定位置とに、樹脂製の平板状円形部材（ポリワッシャー）等で構成された一対の止具４１、４１を鳩目４２、４２で取り付けた点である。この図面袋１は、蓋部１７を折り曲げて止具４１、４１の根元部分（取付部分）に紐４３を巻き回すことで、該蓋部１７が開かないように固定することができる。
【実施例３】
【００３４】
図７及び図８は、本発明の他の実施形態（実施例３）にかかる図面袋の構成例を示す図で、図７は図面袋１−３の作成手順を示すもので、図８は完成した図面袋１−３の外観構成例を示すものである。本実施例の図面袋１−３が、図面袋１と異なるのは、裏面部１３の外面に、袋状の収納ポケット５０を設置した点である。収納ポケット５０は、裏面部１３に貼付された蓋部材５１と本体部材５５とからなり、本体部材５５の両側部及び下部の三方の側部に設けた貼合部５６を裏面部１３に取り付けることで、該本体部材５５と裏面部１３との間に袋状の収納部５４を形成したものである。
【００３５】
蓋部材５１及び本体部材５５は、図面袋１−３の第１の部材１０及び第２の部材３０を構成する材料と同じ材料で構成されている。即ち、紙や布、あるいは紙に布を貼り付けて構成した平面材料を切り抜いて形成されたものである。本体部材５５は、略矩形状に形成されており、その左右及び下部の三方の側部には、所定の幅寸法の貼合部５６が設けられている。一方、蓋部材５１は、本体部材５５の上端部５５ａの全長と同じ長さ寸法に形成された蓋部５２と、該蓋部５２の下部に連設された所定の幅寸法の貼合部５３を備えて構成されている。
【００３６】
収納ポケット５０を作成するには、まず、裏面部１３の所定位置（図の点線で示す位置）に、蓋部材５１の貼合部５３を貼り付けて固定する。そして、本体部材５５の三方の側部に設けた貼合部５６を折り返し、該折り返された貼合部５６を裏面部１３の所定位置に貼り付けて固定する。その際、本体部材５５の上端部５５ａが蓋部５２の下部５２ａと一致する高さ位置に貼り付ける。これにより、図８に示すように、裏面部１３と本体部材５５との隙間が、その上部が開口部５７になっている袋状の収納部５４として形成される。
【００３７】
さらに、図８に示すように、蓋部５２を折り返した際にその内側になる面５２ｂの所定位置と、本体部材５５のこれに対向する位置とに一対の面ファスナー等からなる開閉具５８を設置する。蓋部５２は、その下部５２ａに沿って折り曲げて本体部材５５の上部に重ね合わせて開口部５７を塞いだ閉位置と、蓋部５２を上方に開けた開位置とで開閉自在の構成とすることができると共に、開閉具５８により、その閉位置において容易に開いてしまわないように固定することができる。以上により、収納ポケット５０が完成する。
【００３８】
図８に示すように、完成した収納ポケット５０の収納部５４は、ＣＤ−ＲＯＭ６１を入れたケース６０を収納可能な形状及び大きさになっている。このＣＤ―ＲＯＭ６１は、図面袋１−３に収納した図面に関する電子データ等が格納された記録媒体である。なお、本実施例では、収納ポケット５０として、ＣＤ―ＲＯＭ６１を入れたケース６０を収納するものを示したが、これに限らず、他の記録媒体（例えばＦＤやＭＯ等）やその他の小物類等を収納可能な形状及び大きさに構成されたものであってもよい。また、開口部５７を開閉自在にする必要がない場合は、蓋部材５１を省略することも可能である。
【００３９】
収納ポケット５０は、裏面部１３の外面に設置した例を示したが、これ以外にも表面部１２の外面に設置しても良いし、表面部１２の外面と裏面部１３の外面の両方に設置してもよい。さらにその数も、２つ以上を設けることも可能である。なお、収納ポケット５０は、図面袋１−３の第１の部材１０と第２の部材３０とを組み立てる前に、予め第１の部材１０に取り付けておいても良いし、第１の部材１０と第２の部材３０とを組み立てた後に取り付けてもよい。なお貼合部５３、５３は、糊や接着剤等によって貼り合わせて接合する以外にも、糸で縫い付けて接合しても良い。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状や材質であっても、本願発明の作用・効果を奏する以上、本願発明の技術的思想の範囲内である。
【００４１】
例えば、図面袋１の材料は、紙材料及び布材料を示したが、これに限定されず、例えばビニール樹脂材料など他の材料で構成されていてもよい。また、紙材料として用いる紙の厚さ及び種類等は特に限定されず、図面を収納してこれを長期間変質させずに保存することに適したものであればよい。また、耳部１６、１９の形状、寸法や、耳部１６、１９に設けた貫通穴２３の位置及び個数は図面の記載等に限定されるものではない。
【００４２】
また、実施例２の図面袋１−２と実施例３の図面袋１−３の構成を組み合わせた構成の図面袋として、止具４１、４１と収納ポケット５０の両方を設けた構成の図面袋としてもよい。
【図面の簡単な説明】
【００４３】
【図１】本発明の一実施形態例（実施例１）にかかる図面袋の構成部品である第１の部材及び第２の部材を示す図である。
【図２】裁断前の第１の部材及び第２の部材を示す図である。
【図３】接続部分を示す部分拡大図である。
【図４】図面袋の作成手順を示す図である。
【図５】図面袋の外観斜視図である。
【図６】他の実施形態例（実施例２）にかかる図面袋の外観構成例を示す図である。
【図７】他の実施形態例（実施例３）にかかる図面袋の作成手順を示す図である。
【図８】他の実施形態例（実施例３）にかかる図面袋の外観構成例を示す図である。
【符号の説明】
【００４４】
１    図面袋
２    平面材料
３    収納部
１０  第１の部材
１１  外形線
１２  表面部
１３  裏面部
１４  第１の側面部
１５  底面部
１６  耳部
１７  蓋部
１８  折曲線
１９  耳部
２０  連続部分
２１  切り込み
２２  接続部
２３  貫通穴
２４  マチ部
２５  マチ部
２６  補強部材
２７  底部
２８  開閉具
２９  開口部
３０  第２の部材
３１  外形線
３２  第２の側面部
３３  貼合部
３４  貼合部
３５  底面部
３６  折曲線
４０  背枕部材
４１  止具
４２  鳩目
４３  紐
５０  収納ポケット
５１  蓋部材
５２  蓋部
５３  貼合部
５４  収納部
５５  本体部材
５６  貼合部
５７  開口部
５８  開閉具
６０  ケース
６１  ＣＤ−ＲＯＭ
【図１】
2006117313.tif 000003
【図２】
2006117313.tif 000004
【図３】
2006117313.tif 000005
【図４】
2006117313.tif 000006
【図５】
2006117313.tif 000007
【図６】
2006117313.tif 000008
【図７】
2006117313.tif 000009
【図８】
2006117313.tif 000010